(57)【要約】  設備機器管理部（３１）は、接続された設備機器（２）を管理する。Ｗｅｂサーバ部（３２）は、複数の設備管理装置（３）で管理される設備機器（２）の状態を監視するための監視プログラム（８２）を含むＷｅｂコンテンツ（８０）を提供可能である。Ｗｅｂコンテンツ表示制御部（１２０）は、Ｗｅｂサーバ部（３２）から送られるＷｅｂコンテンツ（８０）を取得して監視プログラム（８２）を実行して、設備管理装置アドレスリスト（９１）を取得し、取得した設備管理装置アドレスリスト（９１）を用いて、複数の設備管理装置（３）各々と接続して、各設備管理装置（３）で管理される設備機器データ（７０）をそれぞれ取得してＷｅｂブラウザの１画面上に表示する。
2014002184.tif 000002
【特許請求の範囲】
【請求項１】
複数の設備管理装置を用いて設備機器を管理する設備管理システムであって、
前記各設備管理装置に設けられ、接続された設備機器を管理する設備機器管理部と、
前記複数の設備管理装置によって管理される設備機器の状態を監視するための監視プログラムを含むＷｅｂコンテンツを提供可能なＷｅｂサーバ部と、
前記各設備管理装置に設けられ、前記複数の設備管理装置のアドレス情報を保持するアドレス保持部と、
前記Ｗｅｂサーバ部から送られる前記Ｗｅｂコンテンツを取得して前記監視プログラムを実行して、前記アドレス保持部で保持される前記アドレス情報を取得し、取得した前記アドレス情報を用いて、前記複数の設備管理装置各々と接続して、前記各設備管理装置で管理される設備機器の状態に関する情報をそれぞれ取得して、Ｗｅｂブラウザの１画面上に前記複数の設備管理装置で管理される設備機器の状態に関する情報を表示させるＷｅｂブラウザ部と、
を備える設備管理システム。
【請求項２】
前記各設備管理装置に設けられ、前記設備機器管理部で管理される設備機器の運転状態に関する情報を保持する運転状態データ保持部をさらに備え、
前記Ｗｅｂブラウザ部は、
前記運転状態データ保持部に保持される前記設備機器各々の運転状態に関する情報を前記複数の設備管理装置から取得して前記Ｗｅｂブラウザの１画面上に表示させる、
請求項１に記載の設備管理システム。
【請求項３】
前記各設備管理装置に設けられ、前記複数の設備機器が設置される領域の平面図の画像を示す平面図データを保持する平面図データ保持部と、
前記各設備管理装置に設けられ、前記平面図上の前記複数の設備機器の表示位置を示す表示位置データを保持する表示位置データ保持部と、をさらに備え、
前記Ｗｅｂブラウザ部は、
前記平面図データ保持部から前記平面図データを取得するとともに、前記表示位置データ保持部から前記表示位置データを取得し、前記平面図データが示す平面図に前記表示位置データが示す位置に前記複数の設備機器各々のアイコンを重ね合わせて前記Ｗｅｂブラウザの１画面上に表示させる、
請求項１又は２に記載の設備管理システム。
【請求項４】
前記各設備管理装置に設けられ、前記設備機器管理部で管理される前記設備機器の状態が変化した場合に、前記Ｗｅｂブラウザ部に、設備機器の状態の変化に関する情報を通報する設備機器データ通信部をさらに備える、
請求項１乃至３のいずれか一項に記載の設備管理システム。
【請求項５】
前記各設備管理装置に設けられ、内部に保持するデータが変化した場合に、変化したデータを他の設備管理装置に送信するデータ更新部をさらに備える、
請求項１に記載の設備管理システム。
【請求項６】
前記監視プログラムが、ＪＡＶＡ（登録商標）スクリプト言語で記述されている、
請求項１乃至５のいずれか一項に記載の設備管理システム。
【請求項７】
前記Ｗｅｂブラウザ部は、
前記複数の設備管理装置に、常時接続して、各種データを取得する、
請求項１乃至６のいずれか一項に記載の設備管理システム。
【請求項８】
前記Ｗｅｂブラウザ部は、ＷｅｂＳｏｃｋｅｔを利用して前記複数の設備管理装置に、常時接続する、
請求項７に記載の設備管理システム。
【請求項９】
複数の設備管理装置を用いて設備機器を管理するコンピュータを、
前記各設備管理装置に設けられ、接続された設備機器を管理する設備機器管理部、
前記複数の設備管理装置によって管理される設備機器の状態を監視するための監視プログラムを含むＷｅｂコンテンツを提供可能なＷｅｂサーバ部、
前記各設備管理装置に設けられ、前記複数の設備管理装置のアドレス情報を保持するアドレス保持部、
前記Ｗｅｂサーバ部から送られる前記Ｗｅｂコンテンツを取得して前記監視プログラムを実行して、前記アドレス保持部で保持される前記アドレス情報を取得し、取得した前記アドレス情報を用いて、前記複数の設備管理装置各々と接続して、前記各設備管理装置で管理される設備機器の状態に関する情報をそれぞれ取得して、Ｗｅｂブラウザの１画面上に前記複数の設備管理装置で管理される設備機器の状態に関する情報を表示させるＷｅｂブラウザ部、
として機能させるプログラム。
【発明の詳細な説明】
【技術分野】
【０００１】
この発明は、設備管理システム及びプログラムに関する。
【背景技術】
【０００２】
近年、ビル等の家屋に設置された空調機器、照明機器などの設備機器を総合的に管理する設備管理装置が登場している。設備管理装置の中には、ビルの管理者のパーソナルコンピュータ（パソコン）から設備機器の状態を監視できるものもある。この設備管理装置は、Ｗｅｂサーバを備えている。Ｗｅｂサーバは、設備機器の状態に関する情報を閲覧するためのＷｅｂページを生成する。生成されたＷｅｂページは、パソコンのＷｅｂブラウザによってパソコンの画面上に表示される。このＷｅｂページを閲覧すれば、設備機器の状態を監視することができる。【０００３】
ビルの家屋内の各フロアの入り口毎に複数の設備管理装置が設置されている場合、または建屋ごとに複数の設備管理装置が設置されている場合には、設備管理装置毎にＷｅｂページが生成される。このため、Ｗｅｂブラウザを用いて設備機器を監視するには、設備管理装置ごとに複数のＷｅｂページを開いて監視する必要がある。【０００４】
しかしながら、複数のＷｅｂページを開くと、どのＷｅｂページがどの建屋に対応しているのかが分からなくなることがある。また、あるＷｅｂページが他のＷｅｂページに隠れてしまい、異常が発生している設備機器を見逃してしまうなど、管理上の問題も発生する。【０００５】
そこで、Ｗｅｂブラウザ上に複数のＷｅｂサーバの情報を同時に表示可能な住宅設備監視システム用の表示装置が開示されている（例えば、特許文献１参照）。この表示装置では、センタ装置から送られるセンタ側Ｗｅｂコンテンツと、コントローラから送られるローカル側Ｗｅｂコンテンツを表示部の一画面上に同時に表示することができる。これにより、センタ装置から送られるＷｅｂコンテンツとコントローラから送られるＷｅｂコンテンツの比較が容易になる。
【先行技術文献】
【特許文献】
【０００６】
【特許文献１】特許第４８６２６００号公報（第７図）
【発明の概要】
【発明が解決しようとする課題】
【０００７】
上記特許文献１に記載された表示装置においては、Ｗｅｂブラウザの画面を複数の領域に分割する。そして、画面内の各領域が、各設備管理装置、すなわち１台のＷｅｂサーバのコンテンツの表示に割り当てられる。このため、画面の解像度や大きさの制約から、Ｗｅｂコンテンツを提供するＷｅｂサーバの数（すなわち同時表示可能な設備管理装置の数）に限界があった。また、画面上のレイアウトの関係から、Ｗｅｂコンテンツを表示する数（画面を分割する数）は、予め固定となっていることが多い。【０００８】
このような理由から、ビル設備の数やシステム構成によって設備管理装置の数が変化する設備管理システムでは、上記特許文献１に記載された技術を利用するのは困難である。【０００９】
この発明は、上記実情に鑑みてなされたものであり、不特定多数の設備管理装置を設置した場合でも、複数の設備管理装置によって管理される設備機器の状態を同一のＷｅｂブラウザの画面で監視することができる設備管理システム及びプログラムを提供することを目的とする。
【課題を解決するための手段】
【００１０】
上記目的を達成するために、この発明の設備管理システムは、
複数の設備管理装置を用いて設備機器を管理する設備管理システムであって、
前記各設備管理装置に設けられ、接続された設備機器を管理する設備機器管理部と、
前記複数の設備管理装置によって管理される設備機器の状態を監視するための監視プログラムを含むＷｅｂコンテンツを提供可能なＷｅｂサーバ部と、
前記各設備管理装置に設けられ、前記複数の設備管理装置のアドレス情報を保持するアドレス保持部と、
前記Ｗｅｂサーバ部から送られる前記Ｗｅｂコンテンツを取得して前記監視プログラムを実行して、前記アドレス保持部で保持される前記アドレス情報を取得し、取得した前記アドレス情報を用いて、前記複数の設備管理装置各々と接続して、前記各設備管理装置で管理される設備機器の状態に関する情報をそれぞれ取得して、Ｗｅｂブラウザの１画面上に前記複数の設備管理装置で管理される設備機器の状態に関する情報を表示させるＷｅｂブラウザ部と、
を備える。
【発明の効果】
【００１１】
この発明によれば、Ｗｅｂブラウザに読み込まれるＷｅｂコンテンツに含まれる監視プログラムを、Ｗｅｂブラウザ部で実行することにより、複数の設備管理装置各々のアドレス情報を取得し、そのアドレス情報を用いて各設備管理装置によって管理される設備機器の状態を取得する。監視プログラムは、Ｗｅｂブラウザによって実行されるので、取得された設備機器のデータを、同一のＷｅｂページのものとしてＷｅｂブラウザの同一の画面内に表示することができる。この結果、不特定多数の設備管理装置を設置した場合でも、複数の設備管理装置で管理される設備機器の状態を同一のＷｅｂブラウザの画面で監視することができる。
【図面の簡単な説明】
【００１２】
【図１】この発明の実施の形態１に係る設備管理システムの構成を示すブロック図である。
【図２】この発明の実施の形態１に係る設備管理装置の構成を示すブロック図である。
【図３】この発明の実施の形態１に係る監視端末の構成を示すブロック図である。
【図４】監視画面表示処理のフローチャートである。
【図５】監視端末と設備管理装置との間の通信手順を示すシーケンス図である。
【図６】監視端末で表示するフロア監視画面の一例を示す図である。
【図７】異常が発生したユニットを表示する画面の一例を示す図である。
【図８】設備機器の状態に変化があった場合の設備管理装置の処理のフローチャートである。
【図９】設備管理装置から状態の変化の通報を受信した場合の監視端末の処理のフローチャートである。
【図１０】この発明の実施の形態２に係る設備管理システムにおける設定データ更新処理のフローチャートである。
【図１１】この発明の実施の形態１、２に係る設備管理システムの概念的な構成を示すブロック図である。
【発明を実施するための形態】
【００１３】
この発明の実施の形態について、図面を参照して詳細に説明する。
【００１４】
実施の形態１．
まず、この発明の実施の形態１について説明する。
【００１５】
図１には、この発明の実施の形態１に係る設備管理システム１の構成が示されている。図１に示すように、この実施の形態に係る設備管理システム１は、複数の設備機器２、複数の設備管理装置３及び監視端末４を備えている。設備管理システム１は、複数の設備管理装置３を用いて設備機器２を管理するシステムである。
【００１６】
各設備機器２、設備管理装置３は、専用通信線５を介して互いに通信可能に接続されている。また、複数の設備管理装置３、監視端末４は、通信線６で互いに通信可能に接続されている。
【００１７】
図１では特に図示していないが、設備機器２としては、空調機器や照明機器、給湯機器など、ビル内に設置される様々な機器が想定される。複数の設備機器２は、ビル等の家屋の中の指定された場所にそれぞれ設置されている。各設備機器２は、設備管理装置３の管理の下で動作する。各設備機器２の状態（例えば運転状態）は専用通信線５を介して設備管理装置３に通知される。なお、同じ設備管理装置３によって管理される複数の設備機器２のグループを、以下では設備機器群７とも呼ぶ。
【００１８】
まず、設備管理装置３の構成について説明する。図２には、設備管理装置３の構成が示されている。
【００１９】
設備管理装置３は、接続された複数の設備機器２、すなわち設備機器群７を統括的に管理（監視、制御）する。図２に示すように、設備管理装置３は、表示装置１０、入力装置２０、制御部３０、データ管理部４０、設備機器通信管理部５０及び監視端末通信管理部６０を備えている。
【００２０】
表示装置１０は、制御部３０の制御の下、設備機器群７の管理を行うための各種画面を表示する。
【００２１】
入力装置２０は、マウス、キーボード、タッチパネル等の入力用デバイスである。入力装置２０がタッチパネルである場合には、入力装置２０は、表示装置１０上に設置される。管理者がマウス等の入力装置２０を操作すると、入力した内容により、画面の切り換えや、接続された設備機器２の操作等を行うことができる。
【００２２】
制御部３０は、コンピュータであり、ＣＰＵ（Central Processing Unit）、メモリ及び記憶装置（いずれも不図示）を備える。ＣＰＵがメモリに格納されたプログラムを実行することにより、以下に示す制御部３０の各構成要素及びそれらの機能が実現される。
【００２３】
制御部３０は、設備機器２の状態（例えば運転状態）等をデータ管理部４０に保持し、監視端末４に表示される監視画面に必要なデータを監視端末４との間で送受信する。制御部３０は、設備機器管理部３１と、Ｗｅｂサーバ部３２とを備える。
【００２４】
設備機器管理部３１は、各設備管理装置３に設けられており、接続された設備機器２を管理する。より具体的には、設備機器管理部３１は、設備機器２の状態を監視、制御する。すなわち、設備機器２の状態には、例えば、設備機器２の運転状態／停止状態又は異常状態等の運転状態がある。
【００２５】
Ｗｅｂサーバ部３２は、各設備管理装置３に設けられている。Ｗｅｂサーバ部３２は、後述するＷｅｂコンテンツ８０を提供可能なサーバである。Ｗｅｂコンテンツ８０には、後述するように、複数の設備管理装置３でそれぞれ管理される設備機器２の状態を監視するための監視プログラム８２が含まれている。
【００２６】
より具体的には、Ｗｅｂサーバ部３２は、監視端末４からの要求に応じて監視端末４にデータ管理部４０で管理されるＷｅｂコンテンツ８０を送信する。Ｗｅｂサーバ部３２は、設備機器データ通信部３３と、システム構成データ通信部３４とを備える。
【００２７】
設備機器データ通信部３３は、設備機器データの設定、モニタを行う。設備機器データ通信部３３は、設備管理装置２で管理される設備機器２の状態が変化した場合に、監視端末４に、設備機器の状態の変化に関する情報を通報する。具体的には、更新された設備機器データ７０が送信される。
【００２８】
システム構成データ通信部３４は、設備管理システム１内の全ての設備管理装置３のアドレス情報が保持されている設備管理装置アドレスリスト９１の設定、モニタを行う。設備管理装置アドレスリスト９１については後述する。
【００２９】
データ管理部４０は、コンピュータであり、ＣＰＵ（Central Processing Unit）、メモリ、記憶装置（いずれも不図示）を備える。ＣＰＵがメモリに格納されたプログラムを実行することにより、以下に示すデータ管理部４０の各構成要素及びそれらの機能が実現される。
【００３０】
データ管理部４０は、設備機器群７の監視を行うために必要となる各種データと、監視端末４で設備機器２の監視画面を表示するための各種データとを管理する。データ管理部４０で管理されるデータには、大別して、設備機器データ７０、Ｗｅｂコンテンツ８０及びシステム構成データ９０がある。
【００３１】
設備機器データ７０には、各設備機器２の接続情報７１と、運転状態データ７２と、設備機器アイコンのフロア平面図上での表示位置データ７３とが含まれる。
【００３２】
接続情報７１は、設備管理装置３によって管理される各設備機器２のアドレス番号、操作グループ番号、機種の識別情報など、設備機器群７に接続するために必要なデータである。
【００３３】
運転状態データ７２は、各設備機器２の現在の運転状態（例えば空調機器の場合は運転・停止状態や、冷房や暖房などの運転モード、設定温度、室内温度、エラー発生状態など）に関する情報に相当するデータである。運転状態データ７２は、各設備機器２とのデータ送受信により、随時最新の状態に更新されている。この実施の形態では、運転状態データ７２を監視するデータ管理部４０が運転状態データ保持部に対応する。
【００３４】
表示位置データ７３は、各設備機器２が設置されたフロア番号及び各設置機器２の平面図上のＸ座標、Ｙ座標を示すデータである。表示位置データ７３は、後述する監視端末４の設備機器監視画面に表示されるフロア平面図上に設備機器２のアイコンを配置する際に用いられる。すなわち、表示位置データ７３は、フロア平面図上の複数の設備機器２の表示位置を示すデータである。この実施の形態では、データ管理部４０が、表示位置データ保持部に対応する。
【００３５】
なお、複数の建物を管理することを考慮して、表示位置データ７３に、フロア番号の他、建物番号などの付加情報をさらに追加するようにしてもよい。また、表示位置データ７３では、Ｘ座標、Ｙ座標を平面図の縦横サイズに対する割合（０〜１００％）で示すようにしてもよい。また、表示位置データ７３では、平面図が拡大、縮小された場合に、設備機器アイコンを表示する位置情報を追随して変化させるようにしてもよい。
【００３６】
Ｗｅｂコンテンツ８０には、画面構成ファイル８１と、監視プログラム８２と、フロア平面図ファイル８３とが含まれている。
【００３７】
画面構成ファイル８１には、監視端末４に表示される画面（Ｗｅｂブラウザの画面）のレイアウト構成が記述されている。監視プログラム８２は、Ｗｅｂブラウザ上で実行され、各種通信処理、画面表示処理を行うプログラムである。この監視プログラム８２が、複数の設備管理装置３で管理される設備機器２の状態を監視するためのプログラムである。フロア平面図ファイル８３は、監視画面の背景となる建屋のフロアの平面図のデータである。
【００３８】
画面構成ファイル８１について、より詳細に説明する。画面構成ファイル８１には、監視端末４に表示する画面のレイアウト構成を定義するファイルと、そのレイアウト構成によって画面上に配置される各種画像ファイルとが含まれている。画面構成ファイル８１は、フレーム構成を記述するＨＴＭＬ（HyperText Markup language）ファイル、及びＧＩＦ（Graphics Interchange Format）形式やＪＰＥＧ（Joint Photographic Experts Group）形式、ＢＭＰ（Bitmap）形式などで記述された各種画像ファイルである。
【００３９】
続いて、監視プログラム８２の詳細について説明する。監視プログラム８２は、Ｗｅｂブラウザ上で実行可能なプログラムである。監視プログラム８２は、例えば、ＪＡＶＡ（登録商標）スクリプトなどの言語で記述されている。監視プログラム８２は、各設備管理装置３と通信を行って必要なデータを収集し、監視画面を表示するためのプログラムである。監視プログラム８２は、画面構成ファイル８１に埋め込まれており、Ｗｅｂブラウザが、画面構成ファイル８１を実行する際に、実行されるようになっている。
【００４０】
さらに、フロア平面図ファイル８３の詳細について説明する。フロア平面図ファイル８３には、ビル内の設備機器２の設置位置を把握することができるように、監視画面の背景としてフロアのレイアウトを表示するための画像である。フロア平面図ファイル８３では、フロア単位で平面図画像が格納されている。
【００４１】
すなわち、フロア平面図ファイル８３は、複数の設備機器２が設置される領域の平面図の画像を示す平面図データである。この実施の形態では、データ管理部４０が、平面図データ保持部に対応する。
【００４２】
システム構成データ９０は、設備管理システム１のシステム構成に関するデータである。システム構成データ９０には、設備管理装置アドレスリスト９１が含まれる。設備管理装置アドレスリスト９１は、複数の設備管理装置３各々の接続先のアドレス情報を保持する。この実施の形態では、設備管理装置アドレスリスト９１を管理するデータ管理部４０が、アドレス保持部に対応する。
【００４３】
設備機器通信管理部５０は、専用通信線５のインターフェイスである。この設備機器通信管理部５０を介して設備機器２とのデータの送受信が行われる。なお、専用通信線５は必ずしも専用の通信線である必要はなく、汎用的な通信線であるＬＡＮ（Local Area Network）やＲＳ−４８５インターフェイスなどを用いた構成としてもよい。
【００４４】
監視端末通信管理部６０は、通信線６のインターフェイスである。この監視端末通信管理部６０を介して監視端末４とのデータの送受信が行われる。通信線６はＬＡＮや無線ＬＡＮなど、パソコンとの接続が可能な通信線である。
【００４５】
次に、監視端末４の構成について説明する。図３には、監視端末４の構成が示されている。
【００４６】
監視端末４は、汎用的なパソコン上で動作するＷｅｂブラウザを実行可能な端末である。監視端末４のＷｅｂブラウザは、設備管理装置３の制御部３０（Ｗｅｂサーバ部３２）からＷｅｂコンテンツ８０を受信し、このｗｅｂコンテンツ８０に従って監視画面を表示する。図３に示すように、監視端末４は、表示装置１００、入力装置１１０、Ｗｅｂコンテンツ表示制御部１２０、データベース部１３０及び監視端末通信管理部１４０を備えている。
【００４７】
表示装置１００は、Ｗｅｂコンテンツ表示制御部１２０によって実行されるＷｅｂブラウザの画面を表示する。より具体的には、Ｗｅｂコンテンツ表示制御部１２０の制御の下、設備管理装置３から取得したＷｅｂコンテンツ８０に従ってＷｅｂブラウザ上の画面に設備機器２の監視画面を表示する。
【００４８】
入力装置１１０は、マウス、キーボード、タッチパネル等の入力用デバイスである。入力装置１１０がタッチパネルである場合には、入力装置１１０は、表示装置１００上に設置される。管理者がマウス等の入力装置１１０を操作すると、入力した内容により、画面の切り換えや、設備機器２の操作等を行うことができる。
【００４９】
Ｗｅｂコンテンツ表示制御部１２０は、Ｗｅｂブラウザを実行可能なコンピュータである。Ｗｅｂコンテンツ表示制御部１２０は、ＣＰＵ（Central Processing Unit）、メモリ及び記憶装置（いずれも不図示）を備える。ＣＰＵがメモリに格納されたプログラムを実行することにより、以下に示すＷｅｂコンテンツ表示制御部１２０の各構成要素及びそれらの機能が実現される。
【００５０】
Ｗｅｂコンテンツ表示制御部１２０は、入力装置１１０から入力された接続先の設備管理装置３と通信を行ってＷｅｂコンテンツ８０を取得し、設備機器群７の監視画面を表示装置１００に表示する。より具体的には、Ｗｅｂコンテンツ表示制御部１２０は、監視プログラム８２を実行して、複数の設備管理装置３各々によって管理される設備機器２の状態に関する情報を取得して監視画面（Ｗｅｂブラウザの画面）に表示する。
【００５１】
Ｗｅｂコンテンツ表示制御部１２０は、画面構成ファイル解析部１２１と、監視プログラム実行部１２２とを備えている。
【００５２】
画面構成ファイル解析部１２１は、取得した画面構成ファイル８１を解析する。監視プログラム実行部１２２は、設備管理装置３からダウンロードされたＷｅｂコンテンツ８０を取得して監視プログラム８２を実行し、複数の設備管理装置３各々によって管理される設備機器２の状態に関する情報を取得して表示する。
【００５３】
より具体的には、監視プログラム実行部１２２は、監視プログラム８２を実行して、各設備管理装置３で保持される設備管理装置アドレスリスト９１を取得し、取得した設備管理装置アドレスリスト９１を用いて、複数の設備管理装置３各々と接続して、複数の設備管理装置３によって管理される複数の設備機器２の状態に関する情報である設備機器データ７０を取得する。
【００５４】
監視プログラム実行部１２２は、データ通信管理部１２３と、設備機器データ管理部１２４とを備える。
【００５５】
データ通信管理部１２３は、設備管理装置３に接続し、各設備管理装置３から各種データを取得し、取得したデータを、データベース部１３０に登録するとともに画面に表示させる。データ通信管理部１２３は、例えば、運転状態データ７２を複数の設備管理装置３から取得してＷｅｂブラウザの画面に表示させる。また、データ通信管理部１２３は、フロア平面図ファイル８３を取得するとともに、表示位置データ７３を表示位置データ１３６として取得し、平面図の画像に表示位置データ１３６が示す位置に複数の設備機器２各々のアイコンを重ね合わせてＷｅｂブラウザの画面上に表示させる。
【００５６】
また、設備機器データ管理部１２４は、設備管理装置３から新たに設備機器データ７０を受信すると、そのデータに基づいて、データベース部１３０の設備機器データ１３３を更新する。
【００５７】
データベース部１３０は、監視プログラム実行部１２２が利用する各種データを管理するデータベースである。データベース部１３０は、ＣＰＵ（Central Processing Unit）、メモリ及び記憶装置（いずれも不図示）を備えるコンピュータである。ＣＰＵがメモリに格納されたプログラムを実行することにより、以下に示すデータベース部１３０の各構成要素及びそれらの機能が実現される。データベース部１３０には、システム構成データ１３１と、設備機器データ１３３とが含まれる。
【００５８】
システム構成データ１３１は、設備管理システム１のシステム構成に関するデータである。システム構成データ１３１には、設備管理装置アドレスリスト１３２が含まれる。設備管理装置アドレスリスト１３２は、通信先の複数の設備管理装置３の特定情報となるＩＰアドレスやホスト名などの設備管理装置のアドレスのリストである。
【００５９】
設備機器データ１３３には、設備機器の接続情報１３４、運転状態データ１３５及び表示位置データ１３６が含まれる。設備機器データ１３３は、設備機器データ管理部１２４によって常に最新に保たれている。
【００６０】
データベース部１３０のシステム構成データ１３１及び設備機器データ１３３は、図２に示す設備管理装置３のデータ管理部４０のシステム構成データ９０及び設備機器データ７０に対応する。
【００６１】
監視端末通信管理部１４０は、通信線６のインターフェイスである。この監視端末通信管理部１４０を介して設備管理装置３とのデータの送受信が行われる。
【００６２】
次に、設備管理装置３及び監視端末４の動作について、図４、図５、図６及び図７を参照して説明する。
【００６３】
図４には、監視端末４の表示装置１０に表示されたＷｅｂブラウザに、設備管理装置３のＵＲＬを入力し、設備機器２の監視用のページを開いた場合の処理（監視画面表示処理）の流れが示されている。
【００６４】
監視端末４にＷｅｂブラウザにＵＲＬを入力すると、監視端末４のＷｅｂコンテンツ表示制御部１２０は、設備管理装置３からＷｅｂコンテンツ８０を取得する（ステップＳ１０１）。より具体的には、Ｗｅｂコンテンツ表示制御部１２０は、監視端末通信管理部１４０を介して設備管理装置３に対してＨＴＴＰプロトコル（Hypertext Transfer Protocol）を用いて接続を開始する。設備管理装置３のＷｅｂサーバ部３２は、監視端末通信管理部６０を介して接続を許可し、要求されたＷｅｂコンテンツ８０を監視端末４に送信する。
【００６５】
続いて、監視端末４（Ｗｅｂコンテンツ表示制御部１２０）は、取得したＷｅｂコンテンツ８０に従って監視画面を表示する（ステップＳ１０２）。より具体的には、Ｗｅｂコンテンツ表示制御部１２０は、取得したＷｅｂコンテンツ８０を、画面構成ファイル解析部１２１にて解析して、Ｗｅｂコンテンツ８０に含まれるＨＴＭＬファイル（画面構成ファイル８１）を取得する。続いて、Ｗｅｂコンテンツ表示制御部１２０は、取得したＨＴＭＬファイルに従って監視画面を表示する。
【００６６】
続いて、監視端末４（Ｗｅｂコンテンツ表示制御部１２０）は、ＨＴＭＬファイルに埋め込まれている監視プログラム８２を実行する（ステップＳ１０３）。ここでは、監視プログラムはＪＡＶＡ（登録商標）スプリクトで記述されているものとする。
【００６７】
続いて、監視端末４の監視プログラム実行部１２２内のデータ通信管理部１２３は、Ｗｅｂコンテンツ８０を取得した設備管理装置（代表設備管理装置）３にＷｅｂＳｏｃｋｅｔ方式で接続する（ステップＳ１０４）。
【００６８】
ここで、ＷｅｂＳｏｃｋｅｔ方式とは、ＷｅｂサーバとＷｅｂクライアントとの双方向通信用の技術規格である。ＷｅｂＳｏｃｋｅｔ方式は、ＨＴＴＰプロトコルとは異なり、常時接続しておくことが可能である。このため、通信が必要なときにＷｅｂサーバ、Ｗｅｂクライアントのどちらからでも送信を開始することが可能となる。これにより、操作や状態変化などで、設備機器２などに変化があったことをリアルタイムに相手方へ通報することができる。
【００６９】
接続完了後、監視端末４（データ通信管理部１２３）は、設備管理装置３からシステム構成データ９０を取得する（ステップＳ１０５）。システム構成データ９０には、接続されている設備管理装置３のＩＰアドレス、ホスト名などのアドレス情報のリストである設備管理装置アドレスリスト９１が含まれている。
【００７０】
監視端末４（データ通信管理部１２３）は、取得したシステム構成データ９０を、データベース部１３０のシステム構成データ１３１として保持する（ステップＳ１０６）。
【００７１】
続いて、監視端末４（データ通信管理部１２３）は、いずれかの設備管理装置３にＷｅｂＳｏｃｋｅｔ方式で接続する（ステップＳ１０７）。この接続には、データベース部１３０のシステム構成データ１３１に含まれるＩＰアドレスまたはホスト名が用いられる。
【００７２】
ＷｅｂＳｏｃｋｅｔ方式で接続している間、監視端末４（データ通信管理部１２３）は、設備機器２の接続情報７１を取得し、接続情報１３４として保持する（ステップＳ１０８）。
【００７３】
続いて、監視端末４（データ通信管理部１２３）は、設備機器２の運転状態データ７２を取得し、運転状態データ１３５として保持する（ステップＳ１０９）。
【００７４】
続いて、監視端末４（データ通信管理部１２３）は、平面図上の表示位置データ７３を取得し、表示位置データ１３６として保持する（ステップＳ１１０）。
【００７５】
設備機器の接続情報１３４、設備機器の運転状態データ１３５、平面図上の表示位置データ１３６は、データベース部１３０に設備機器データ１３３として保持される。
【００７６】
続いて、監視端末４（データ通信管理部１２３）は、全装置の情報の取得、保持が完了したか否かを判定する（ステップＳ１１１）。完了していなければ（ステップＳ１１１；Ｎｏ）、監視端末４（データ通信管理部１２３）は、ステップＳ１０７に戻る。
【００７７】
以降、監視端末４（データ通信管理部１２３）は、全装置の情報の取得、保持が完了するまで、ステップＳ１０７→Ｓ１０８→Ｓ１０９→Ｓ１１０→Ｓ１１１を繰り返す。全装置の情報の取得、保持が完了すると（ステップＳ１１１；Ｙｅｓ）、監視端末４（データ通信管理部１２３）は、Ｗｅｂブラウザの画面に表示されたフロア平面図上に、各設備機器２の表示位置データ１３６に従って、運転状態を示す設備機器アイコンを表示する（ステップＳ１１２）。
【００７８】
以上で、監視端末４において監視画面表示処理が終了し、複数の設備管理装置３が管理する設備機器群７を、同一のＷｅｂブラウザの同一のＷｅｂページ上で監視することが可能となる。
【００７９】
以降、設備機器２の状態が変化した場合、設備管理装置３（設備機器データ通信部３３）は、その状態の変化の内容を監視端末４に通報する。通報を受けた監視端末４は、その内容を設備機器データ１３３の運転状態データ１３５または表示位置データ１３６として保持する。運転状態データ１３５または表示位置データ１３６などの設備機器データ１３３が更新されると、監視プログラム実行部１２２によって実現される設備機器データ管理部１２４は、Ｗｅｂ画面上の平面図上に、各設備機器２の表示位置データ１３６に従って、運転状態を示す設備機器アイコンの表示状態を更新する。
【００８０】
図５には、図４で示す監視画面表示処理における設備管理装置３と監視端末４との間の通信手順が示されている。図５に示すように、監視端末４は、Ｗｅｂコンテンツ８０を、代表となる設備管理装置３から取得し（ステップＳ１０１）、システム構成データ９０を、代表となる設備管理装置３から取得する（ステップＳ１０４、Ｓ１０５）。
【００８１】
また、監視端末４は、各設備管理装置３とＷｅｂＳｏｃｋｅｔ方式で接続し（ステップＳ１０７）、設備機器データ７０を、各設備管理装置３から直接取得する（ステップＳ１０８〜Ｓ１１０）。これにより、システム全体の処理の分散化が実現されている。
【００８２】
図６には、監視画面表示処理により監視端末４で表示されるフロア監視画面の一例が示されている。図６に示すように、この例では、設備管理装置３ａ、３ｂ、３ｃが、同一フロアに設置され、それぞれに接続された設備機器群７が監視対象となっている。
【００８３】
監視端末４の監視画面には、各設備管理装置３から取得した表示位置データ１３６に従って、Ｗｅｂブラウザ内の１つの画面にフロア平面図が表示されている。そのフロア平面図上には、複数の設備管理装置３ａ、３ｂ、３ｃから取得された各設備機器２の運転状態データ１３５に従ったアイコン２００が配置されている。各アイコン２００の表示状態は、対応する設備機器２の運転状態を表している。
【００８４】
なお、ここでは、同一フロア内に複数の設備管理装置３ａ、３ｂ、３ｃを設置した例について説明しているが、各フロア単位で設備管理装置３を設置した場合は、同様にして複数フロアの設備機器２の運転状態をＷｅｂブラウザの１つの画面内に表示することが可能である。
【００８５】
図７には、監視端末４で表示される、異常が発生したユニットを表示する画面の一例が示されている。図７に示すように、この例では、設備管理装置３ａ、３ｂ、３ｃから取得した各設備機器２の運転状態データ１３５に従って、異常が発生した設備機器２についての情報が、発生日時順に、Ｗｅｂブラウザの１つの画面にまとめて表示されている。
【００８６】
次に、図８及び図９を参照して、設備機器２の運転状態が変化した場合に行われる処理について説明する。
【００８７】
図８には、設備機器２の運転状態が変化した際の設備管理装置３の処理の流れが示されている。
【００８８】
図８に示すように、設備機器２が接続されたリモコン（図示せず）または設備管理装置３によって操作された場合、設備管理装置３の設備機器管理部３１は、設備機器２からの通報により設備機器２の状態の変化を検知し、運転状態データ７２を更新する（ステップＳ２０１）。
【００８９】
続いて、設備管理装置３の制御部３０は、監視端末４との接続が有るか否か（ＷｅｂＳｏｃｋｅｔ接続があるか否か）を判定する（ステップＳ２０２）。接続が有る場合（ステップＳ２０２；Ｙｅｓ）、設備管理装置３（設備機器データ通信部３３）は、ＷｅｂＳｏｃｋｅｔの接続先の監視端末４に対して、設備機器２の運転状態の変化を通報する（ステップＳ２０３）。具体的には、設備管理装置３（設備機器データ通信部３３）は、運転状態データ７２を、監視端末４に送信する。その後、設備管理装置３は処理を終了する。
【００９０】
図９には、設備管理装置３から設備機器２の運転状態データ７２の変化の通報を受信した場合の監視端末４の処理の流れが示されている。
【００９１】
図９に示すように、設備管理装置３から設備機器２の運転状態の変化の通報を受信、すなわち、運転状態データ７２を受信すると、監視端末４の設備機器データ管理部１２４は、受信した運転状態データ７２を用いて、設備機器データ１３３内の運転状態データ１３５を更新する（ステップＳ３０１）。
【００９２】
続いて、監視端末４の設備機器データ管理部１２４は、現在表示されている監視画面を、最新のデータ（すなわち運転状態データ１３５の更新が反映された状態）に更新する（ステップＳ３０２）。
【００９３】
その後、監視端末４は、設備機器２の運転状態が変化した場合の処理を終了する。以上の動作により、複数の設備管理装置３が管理する設備機器群７を常に監視し、運転状態データ１３５を常に最新のものとすることが可能となる。
【００９４】
なお、設備管理装置３が保持しているＷｅｂコンテンツ８０、システム構成データ９０については、予め設備管理装置３に設定しておくことができる。この場合、Ｗｅｂコンテンツ８０、システム構成データ９０の設定は、設備管理装置３の入力装置２０から設定できるようにしてもよいし、監視端末４のＷｅｂブラウザから設定できるようにしてもよい。
【００９５】
また、各設備機器２の表示位置データ７３についても、同様に設備管理装置３の入力装置２０から設定できるようにしてもよい。この場合、監視端末４のＷｅｂブラウザで表示位置を確認しながら設定できるようにしてもよい。
【００９６】
また、この実施の形態では、設備管理装置３が、表示装置１０と入力装置２０とを備えるものとしたが、必ずしも表示装置１０や入力装置２０が必要という訳ではない。表示装置１０、入力装置２０を備えずに、通信線７を介して通信により監視端末４から設定、操作等が行えるようにしてもよい。
【００９７】
また、この実施の形態では、監視端末４のＷｅｂブラウザが用いられるものとした。しかしながら、Ｗｅｂブラウザは、設備管理装置３上にあってもよい。代表となる設備管理装置３上でＷｅｂブラウザを起動してＷｅｂコンテンツ８０を読み込み、図４と同様の処理手順を実行して、自身の表示装置１０で、他の設備管理装置３に接続された設備機器群７も併せて監視できるようにしてもよい。
【００９８】
また、この実施の形態では、監視端末４としてパソコンを利用するようにしたが、必ずしもパソコンを利用する必要はない。例えば、監視プログラム８２が動作可能な専用端末やタブレット端末などを利用してもよい。
【００９９】
また、監視端末４と設備管理装置３との間で通信されるデータのフォーマットとしては、ＸＭＬ（eXtensible Markup Language）等を用いたテキスト形式を採用することができる。なお、通信サイズを低減するためにバイナリ形式など他の形式を用いてもよい。また、通信情報を秘匿できるよう、通信の暗号化を行ってもよい。
【０１００】
また、この実施の形態では、通信方式に常時接続が可能なＷｅｂＳｏｃｋｅｔを用いるものとしたが、必ずしもＷｅｂＳｏｃｋｅｔを用いる必要はない。例えば、ＨＴＴＰプロトコルや独自プロトコルなどを用いて通信を行うようにしてもよい。
【０１０１】
以上詳細に説明したように、この実施の形態１によれば、Ｗｅｂブラウザ（Ｗｅｂコンテンツ表示制御部１０２）に読み込まれるＷｅｂコンテンツ８０に含まれる監視プログラム８２を、Ｗｅｂブラウザが実行することにより、複数の設備管理装置３各々によって管理される設備機器２の状態を取得する。監視プログラム８２は、Ｗｅｂブラウザによって実行されるので、取得された設備機器のデータを、同一のＷｅｂページのものとしてＷｅｂブラウザの同一の画面内に表示することができる。
【０１０２】
これにより、同一のＷｅｂページ内に複数の設備管理装置３が管理する設備機器２の状態を混在させて同時に表示することが可能となる。この結果、従来、運転状態や異常状態が設備管理装置３ごとにしか確認できなかったために発生していた、異常機器の見落とし、照明の消し忘れや、全設備管理装置分の接続先（ＵＲＬ）を切り替えなければ全ての設備機器２を管理できないといった管理の煩雑さを回避することができる。
【０１０３】
また、この実施の形態１によれば、Ｗｅｂコンテンツ８０に含まれＷｅｂブラウザにより実行される監視プログラム８２が実行されることにより、複数の設備管理装置３と接続し、フロア平面図ファイル８３や表示位置データ７３が監視端末４によって取得される。このようにすれば、同一のＷｅｂページ内の平面図上に複数の設備管理装置３が管理する設備機器２の状態を、アイコン２００などを用いて混在して同時に表示することが可能となる。この結果、従来、異なる設備管理装置３によってそれぞれ管理される同一フロアの複数の設備機器２の状態を、同一の平面図上に同時に表示することができる。
【０１０４】
また、この実施の形態では、１つのＵＲＬを用いて、１つの設備管理装置のＷｅｂコンテンツ８０を開くだけで、他の設備管理装置３に接続された設備機器群７も監視することが可能となる。このため、監視端末４において、全ての設備管理装置３のＵＲＬを記憶しておく必要がなくなる。
【０１０５】
また、この実施の形態１では、設備機器群７は、各設備管理装置３によって分散して管理される。また、監視端末４は、Ｗｅｂブラウザで監視プログラム８２を実行することにより、Ｗｅｂコンテンツを読み込んだ設備管理装置３以外の設備管理装置３からも、各々が管理する設備機器群７の状態を取得する。これにより、１台の設備管理装置３にかかる負荷を小さくすることができるので、低い性能の低コストＣＰＵで設備管理装置３を製造することができる。
【０１０６】
従来、１つのＷｅｂページやアプリケーションでビル全体の設備機器２の状態を表示するために高性能で高コストな集中管理装置を用いていた。しかしながら、この実施の形態に係るシステムを採用すれば、このような集中管理装置が不要となる。
【０１０７】
また、一般的に用いられているＨＴＴＰプロトコルを用いた通信では、クライアント側（監視端末４側）からサーバ側（設備管理装置３）にＴＣＰコネクションを接続し、設備機器２の状態をモニタした後、コネクションを切断する仕組みであった。このような仕組みでは、接続中以外はサーバにはクライアントのアドレスが分からないため、設備機器の状態変化があった場合でも即時通報することが出来なかった。
【０１０８】
そこで、この実施の形態では、Ｗｅｂブラウザから利用可能なＷｅｂＳｏｃｋｅｔを用いて設備管理装置３と常時接続する。これにより、設備機器２の状態が変化した場合に、接続中の監視端末４に対して設備管理システム３から通報することができる。この結果、常に最新の設備機器２の状態をＷｅｂブラウザで監視することが可能となる。
【０１０９】
また、一般に、設備機器２の状態の変化を通報する場合は、設備管理装置３に監視端末４のアドレスを設定する必要があるが、ＷｅｂＳｏｃｋｅｔで常時接続することにより、設備管理装置３に監視端末４のアドレスを設定する必要がなくなる。このため、不特定多数の監視端末４から設備機器群７の運転状態を監視することができる。
【０１１０】
また、設備管理装置３には、組込型の低コストＣＰＵが用いられることが多い。このため、ＣＰＵの性能やＲＯＭ、ＲＡＭなどのメモリの性能によっては、設備管理装置３が管理可能な設備機器群７の台数に限りが出る。このため、設備管理装置３が管理している台数しか、Ｗｅｂブラウザの同一画面内で同時に監視することができなかった。しかしながら、この実施の形態に係る設備管理システム１を用いることにより、パソコンが持つ潤沢なＣＰＵやメモリを利用して、多数の設備管理装置３が管理するビル全体の設備機器群７を、Ｗｅｂブラウザの１つの画面でまとめて監視することができる。
【０１１１】
実施の形態２．
次に、この発明の実施の形態２について説明する。
【０１１２】
この発明の実施の形態２に係る設備管理システム１及び設備管理装置３は、図１及び図２に示した実施の形態１で用いられたものと同一の構成であるが、実施の形態１では代表の設備管理装置３でしか利用されていなかったＷｅｂコンテンツ８０、システム構成データ９０を、その他の代表の設備管理装置３でも利用する。
【０１１３】
この実施の形態では、各設備管理装置３の制御部３０は、内部に保持するデータが変化した場合に、変化したデータを他の設備管理装置３に送信する。この実施の形態では、制御部３０が、データ更新部に対応する。
【０１１４】
図１０には、代表となる設備管理装置３に対して、設備管理装置アドレスリスト９１又はフロア平面図ファイル８３の各データが更新される際の設定データ更新処理が示されている。設定データ更新処理は、制御部３０によって実行される。
【０１１５】
図１０に示すように、まず、設備管理装置アドレスリスト９１又はフロア平面図ファイル８３をユーザが入力装置２０を用いて変更すると、設備管理装置３（制御部３０）は、その変更内容に従って、データ管理部４０内の設備管理装置アドレスリスト９１またはフロア平面図ファイル８３を更新する（ステップＳ４０１）。
【０１１６】
続いて、設備管理装置３（制御部３０）は、設備管理装置アドレスリスト９１を読出し（ステップＳ４０２）、リスト内の全ての設備管理装置３に対して以降の処理を実施する。
【０１１７】
まず、設備管理装置３（制御部３０）は、他の設備管理装置３に通信線６を介して接続する（ステップＳ４０３）。続いて、設備管理装置３（制御部３０）は、設備管理アドレスリスト９１が更新されている場合にのみ（ステップＳ４０４：Ｙｅｓ）、設備管理アドレスリスト９１を通知する（ステップＳ４０５）。この場合、設備管理アドレスリスト９１自体を送信するようにしてもよいし、前回の差分データのみ送信するようにしてもよい。
【０１１８】
続いて、設備管理装置３（制御部３０）は、フロア平面図ファイル８３が更新されている場合にのみ（ステップＳ４０６；Ｙｅｓ）、フロア平面図ファイル８３を通知する（ステップＳ４０７）。
【０１１９】
続いて、設備管理装置３（制御部３０）は、全設備管理装置分完了したか否かを判定する（ステップＳ４０８）。すべての設備管理装置３について完了するまで（ステップＳ４０８；Ｎｏ）、ステップＳ４０３〜ステップＳ４０８が繰り返される。完了すると（ステップＳ４０８；Ｙｅｓ）、設備管理装置３（制御部３０）は、処理を終了する。
【０１２０】
以上の処理により、設備管理装置３の設備管理アドレスリスト９１又はフロア平面図ファイル８３が変更された場合に、変更された後の設備管理アドレスリスト９１又はフロア平面図ファイル８３を、設備管理システム１内の全ての設備管理装置３で共有することが可能となる。
【０１２１】
なお、設備管理アドレスリスト９１又はフロア平面図ファイル８３が、ユーザが入力装置２０を用いて変更したのか、この設定データ更新処理によって変更されたのかが区別がつくように、データにフラグを挿入したり、異なる通信フォーマットでデータを保存したりするようにしてもよい。
【０１２２】
また、この実施の形態では、設備管理装置アドレスリスト９１、フロア平面図ファイル８３が変更された場合の設定データ更新処理について説明しているが、他のデータが変更された場合にも、同様の設定データ更新処理を行うようにしてもよい。
【０１２３】
以上詳細に説明したように、この実施の形態２に係る設備管理装置３によれば、設備管理システム１の全ての設備管理装置３が、最新の設備管理装置アドレスリスト９１及び平面図データ８３を保持している。このため、代表の設備管理装置３が故障した場合でも、他の設備管理装置３に接続すれば、故障した設備管理装置３を除く設備機器群７の監視が可能となる。この結果、１台の設備管理装置３の故障によって全ての設備機器群７の監視が行えなくなるリスクを回避することができる。
【０１２４】
この実施の形態２に係る設備管理装置３及び監視端末４によれば、どの設備管理装置３に接続しても同様に設備機器群７の管理が可能である。そこで、ユーザごとに接続する設備管理装置３を分けることにより、Ｗｅｂコンテンツ８０のダウンロードに対する設備管理装置３の処理負荷を分散することが可能となる。
【０１２５】
図１１には、上記各実施の形態に係る設備管理システム１の概念的な構成が示されている。図１１に示すように、設備管理システム１は、複数の設備管理装置を用いて設備機器を管理する設備管理システムである。
【０１２６】
各設備管理装置２には、設備機器管理部３１が設けられている。設備機器管理部３１は、接続された設備機器２を管理する。
【０１２７】
また、各設備管理装置２には、Ｗｅｂサーバ部３２が設けられている。Ｗｅｂサーバ部３２は、Ｗｅｂサーバ部３２から送られるＷｅｂコンテンツ８０を取得して監視プログラム８２を実行して、設備管理装置アドレスリスト９１を取得し、取得した設備管理装置アドレスリスト９１を用いて、複数の設備管理装置３各々と接続して、各設備管理装置３で管理される設備機器２の状態に関する情報をそれぞれ取得してＷｅｂブラウザの画面に表示させる。
【０１２８】
また、各設備管理装置２には、設備管理装置アドレスリスト９１が保持されている。設備管理装置アドレスリスト９１は、複数の設備管理装置３のアドレス情報のリストである。
【０１２９】
一方、監視端末４には、Ｗｅｂブラウザ、すなわちＷｅｂコンテンツ表示制御部１２０が設けられている。Ｗｅｂコンテンツ表示制御部１２０は、Ｗｅｂコンテンツ８０を取得して監視プログラム８２を実行して、複数の設備管理装置３各々によって管理される設備機器２の状態に関する情報を取得してまとめて１画面に表示する。
【０１３０】
より具体的には、Ｗｅｂコンテンツ表示制御部１２０は、監視プログラム８２を実行して、設備管理装置アドレスリスト９１を取得し、取得した設備管理装置アドレスリスト９１を用いて、複数の設備管理装置３各々と接続して、複数の設備管理装置３によって管理される複数の設備機器２の状態に関する情報を取得して、それらをまとめてＷｅｂブラウザの表示画面に同時に表示する。
【０１３１】
すなわち、上記各実施の形態によれば、Ｗｅｂコンテンツ表示制御部１２０（Ｗｅｂブラウザ）に読み込まれるＷｅｂコンテンツ８０に含まれる監視プログラム８１を、Ｗｅｂブラウザ上で実行することにより、複数の設備管理装置３各々によって管理される設備機器２の状態を取得する。
【０１３２】
監視プログラム８２は、Ｗｅｂブラウザによって実行されるので、取得された設備機器２のデータを、同一のＷｅｂページのものとしてＷｅｂブラウザの同一の画面内に表示することができる。この結果、不特定多数の設備管理装置３を設置した場合でも、複数の設備管理装置３によって管理される設備機器２の状態を同一のＷｅｂブラウザの画面で監視することができる。
【０１３３】
なお、上記実施の形態において、実行されるプログラムは、フレキシブルディスク、ＣＤ−ＲＯＭ（Compact Disc Read-Only Memory）、ＤＶＤ（Digital Versatile Disc）、ＭＯ（Magneto-Optical Disc）等のコンピュータ読み取り可能な記録媒体に格納して配布し、そのプログラムをインストールすることにより、上述のプログラムを実行するシステムを構成することとしてもよい。
【０１３４】
また、プログラムをインターネット等の通信ネットワーク上の所定のサーバ装置が有するディスク装置等に格納しておき、例えば、搬送波に重畳させて、ダウンロード等するようにしてもよい。
【０１３５】
また、上述の機能を、ＯＳ（Operating System）が分担して実現する場合又はＯＳとアプリケーションとの協働により実現する場合等には、ＯＳ以外の部分のみを媒体に格納して配布してもよく、また、ダウンロード等してもよい。
【０１３６】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【０１３７】
この発明は、ビル等の家屋に設置された複数の設備機器を複数の設備管理装置で管理するのに好適である。
【符号の説明】
【０１３８】
１    設備管理システム
２    設備機器
３    設備管理装置
４    監視端末
５    専用通信線
６    通信線
７    設備機器群
１０    表示装置
２０    入力装置
３０    制御部
３１    設備機器管理部
３２    Ｗｅｂサーバ部
３３    設備機器データ通信部
３４    システム構成データ通信部
４０    データ管理部
５０    設備機器通信管理部
６０    監視端末通信管理部
７０    設備機器データ
７１    接続情報
７２    運転状態データ
７３    表示位置データ
８０    Ｗｅｂコンテンツ
８１    画面構成ファイル
８２    監視プログラム
８３    フロア平面図ファイル
９０    システム構成データ
９１    設備管理装置アドレスリスト
１００    表示装置
１１０    入力装置
１２０    Ｗｅｂコンテンツ表示制御部
１２１    画面構成ファイル解析部
１２２    監視プログラム実行部
１２３    データ通信管理部
１２４    設備機器データ管理部
１３０    データベース部
１３１    システム構成データ
１３２    設備管理装置アドレスリスト
１３３    設備機器データ
１３４    接続情報
１３５    運転状態データ
１３６    表示位置データ
１４０    監視端末通信管理部
２００    アイコン
【図１】
2014002184.tif 000003
【図２】
2014002184.tif 000004
【図３】
2014002184.tif 000005
【図４】
2014002184.tif 000006
【図５】
2014002184.tif 000007
【図６】
2014002184.tif 000008
【図７】
2014002184.tif 000009
【図８】
2014002184.tif 000010
【図９】
2014002184.tif 000011
【図１０】
2014002184.tif 000012
【図１１】
2014002184.tif 000013
【手続補正書】
【提出日】平成26年10月22日(2014.10.22)
【手続補正２】
【補正対象書類名】明細書
【補正対象項目名】００１０
【補正方法】変更
【補正の内容】
【００１０】
上記目的を達成するために、この発明の設備管理システムは、
複数の設備管理装置の各々によって複数の設備機器を管理する設備管理システムであって、
前記複数の設備管理装置の各々によって管理される設備機器の状態を監視するための監視プログラムと、１つの画面の構成を示す画面構成ファイルとを含むＷｅｂコンテンツを提供するＷｅｂサーバ部と、
前記複数の設備管理装置の各々のアドレス情報を保持するアドレス保持部と、
前記Ｗｅｂサーバ部が提供するＷｅｂコンテンツと前記アドレス保持部が保持するアドレス情報とを取得し、前記取得したＷｅｂコンテンツに含まれる監視プログラムを実行することによって、前記取得したアドレス情報に基づいて前記複数の設備機器の状態に関する情報を前記複数の設備管理装置の各々から取得するとともに、前記取得した複数の設備機器の状態に関する情報を、前記取得したＷｅｂコンテンツに含まれる画面構成ファイルによって示される画面の構成に従って配置された１つの画面に表示させるＷｅｂブラウザ部とを備える。
【手続補正３】
【補正対象書類名】明細書
【補正対象項目名】００２７
【補正方法】変更
【補正の内容】
【００２７】
設備機器データ通信部３３は、設備機器データの設定、モニタを行う。設備機器データ通信部３３は、設備管理装置３で管理される設備機器２の状態が変化した場合に、監視端末４に、設備機器の状態の変化に関する情報を通報する。具体的には、更新された設備機器データ７０が送信される。
【手続補正４】
【補正対象書類名】明細書
【補正対象項目名】０１０１
【補正方法】変更
【補正の内容】
【０１０１】
以上詳細に説明したように、この実施の形態１によれば、Ｗｅｂブラウザ（Ｗｅｂコンテンツ表示制御部１２０）に読み込まれるＷｅｂコンテンツ８０に含まれる監視プログラム８２を、Ｗｅｂブラウザが実行することにより、複数の設備管理装置３各々によって管理される設備機器２の状態を取得する。監視プログラム８２は、Ｗｅｂブラウザによって実行されるので、取得された設備機器のデータを、同一のＷｅｂページのものとしてＷｅｂブラウザの同一の画面内に表示することができる。
【手続補正５】
【補正対象書類名】明細書
【補正対象項目名】０１２６
【補正方法】変更
【補正の内容】
【０１２６】
各設備管理装置３には、設備機器管理部３１が設けられている。設備機器管理部３１は、接続された設備機器２を管理する。
【手続補正６】
【補正対象書類名】明細書
【補正対象項目名】０１２７
【補正方法】変更
【補正の内容】
【０１２７】
また、各設備管理装置３には、Ｗｅｂサーバ部３２が設けられている。Ｗｅｂサーバ部３２は、Ｗｅｂサーバ部３２から送られるＷｅｂコンテンツ８０を取得して監視プログラム８２を実行して、設備管理装置アドレスリスト９１を取得し、取得した設備管理装置アドレスリスト９１を用いて、複数の設備管理装置３各々と接続して、各設備管理装置３で管理される設備機器２の状態に関する情報をそれぞれ取得してＷｅｂブラウザの画面に表示させる。
【手続補正７】
【補正対象書類名】明細書
【補正対象項目名】０１２８
【補正方法】変更
【補正の内容】
【０１２８】
また、各設備管理装置３には、設備管理装置アドレスリスト９１が保持されている。設備管理装置アドレスリスト９１は、複数の設備管理装置３のアドレス情報のリストである。
【手続補正８】
【補正対象書類名】明細書
【補正対象項目名】０１３１
【補正方法】変更
【補正の内容】
【０１３１】
すなわち、上記各実施の形態によれば、Ｗｅｂコンテンツ表示制御部１２０（Ｗｅｂブラウザ）に読み込まれるＷｅｂコンテンツ８０に含まれる監視プログラム８２を、Ｗｅｂブラウザ上で実行することにより、複数の設備管理装置３各々によって管理される設備機器２の状態を取得する。
【手続補正９】
【補正対象書類名】特許請求の範囲
【補正対象項目名】全文
【補正方法】変更
【補正の内容】
【特許請求の範囲】
【請求項１】
複数の設備管理装置の各々によって複数の設備機器を管理する設備管理システムであって、
前記複数の設備管理装置の各々によって管理される設備機器の状態を監視するための監視プログラムと、１つの画面の構成を示す画面構成ファイルとを含むＷｅｂコンテンツを提供するＷｅｂサーバ部と、
前記複数の設備管理装置の各々のアドレス情報を保持するアドレス保持部と、
前記Ｗｅｂサーバ部が提供するＷｅｂコンテンツと前記アドレス保持部が保持するアドレス情報とを取得し、前記取得したＷｅｂコンテンツに含まれる監視プログラムを実行することによって、前記取得したアドレス情報に基づいて前記複数の設備機器の状態に関する情報を前記複数の設備管理装置の各々から取得するとともに、前記取得した複数の設備機器の状態に関する情報を、前記取得したＷｅｂコンテンツに含まれる画面構成ファイルによって示される画面の構成に従って配置された１つの画面に表示させるＷｅｂブラウザ部とを備える設備管理システム。
【請求項２】
前記設備管理システムは、前記複数の設備管理装置と、前記複数の設備管理装置の各々と通信する監視端末とを備え、
前記複数の設備管理装置の少なくとも１つは、前記Ｗｅｂサーバ部と、前記アドレス保持部とを備え、
前記監視端末は、前記Ｗｅｂブラウザ部を備える
請求項１に記載の設備管理システム。
【請求項３】
前記複数の設備管理装置の各々と前記監視端末とは、常時接続しており、
前記複数の設備管理装置の各々は、前記設備管理装置自身が管理する設備機器の状態が変化した場合に、前記監視端末へ、前記設備機器の状態の変化に関する情報を通報する設備機器データ通信部をさらに備える
請求項２に記載の設備管理システム。
【請求項４】
前記複数の設備管理装置の各々は、前記Ｗｅｂサーバ部と、前記アドレス保持部とを備え、
前記Ｗｅｂブラウザ部は、前記複数の設備管理装置のうちのいずれか１つである代表の設備管理装置から、前記Ｗｅｂサーバ部が提供するＷｅｂコンテンツと前記アドレス保持部が保持するアドレス情報とを取得する
請求項２又は３に記載の設備管理システム。
【請求項５】
前記複数の設備管理装置の各々は、前記Ｗｅｂサーバ部と、前記アドレス保持部とを備え、
前記Ｗｅｂブラウザ部は、ユーザごとに予め定められた前記複数の設備管理装置のうち、前記監視端末のユーザに対応する設備管理装置から、前記Ｗｅｂサーバ部が提供するＷｅｂコンテンツと前記アドレス保持部が保持するアドレス情報とを取得する
請求項２又は３に記載の設備管理システム。
【請求項６】
前記複数の設備管理装置の各々は、前記設備管理装置自身が管理する設備機器の運転状態に関する情報を保持する運転状態データ保持部をさらに備え、
前記Ｗｅｂブラウザ部は、前記取得したアドレス情報に基づいて、前記運転状態データ保持部に保持される前記設備機器の運転状態に関する情報を前記複数の設備管理装置の各々から取得する
請求項１から５のいずれか１項に記載の設備管理システム。
【請求項７】
前記複数の設備機器が設置される領域の平面図の画像を示す平面図データを保持する平面図データ保持部と、
前記平面図上の前記複数の設備機器の表示位置を示す表示位置データを保持する表示位置データ保持部と、をさらに備え、
前記Ｗｅｂブラウザ部は、前記平面図データ保持部が保持する前記平面図データと前記表示位置データ保持部が保持する前記表示位置データとを取得し、前記平面図データが示す平面図に前記表示位置データが示す位置に前記複数の設備機器の各々に対応するアイコンが配置された前記１つの画面を表示させる
請求項１から６のいずれか１項に記載の設備管理システム。
【請求項８】
前記アイコンは、対応する設備機器の運転状態を示す
請求項７に記載の設備管理システム。
【請求項９】
前記複数の設備管理装置の各々は、前記設備管理装置自身が内部に保持するデータが変化した場合に、変化したデータを他の設備管理装置に送信するデータ更新部をさらに備える
請求項１から８のいずれか１項に記載の設備管理システム。
【請求項１０】
設備機器を管理する設備管理装置であって、
設備管理装置のアドレス情報を保持するアドレス保持部と、
１つの画面の構成を示す画面構成ファイルと、前記アドレス保持部に保持されるアドレス情報に基づいて前記設備機器の状態に関する情報を取得するとともに、前記取得した設備機器の状態に関する情報を、前記画面構成ファイルにより示される画面の構成に従って配置された１つの画面に表示させるための監視プログラムと、を含むＷｅｂコンテンツを提供するＷｅｂサーバ部とを備える設備管理装置。
【請求項１１】
設備機器を管理するための設備管理方法であって、
アドレス保持部が、設備管理装置のアドレス情報を保持することと、
Ｗｅｂサーバ部が、１つの画面の構成を示す画面構成ファイルと、前記アドレス保持部に保持されるアドレス情報に基づいて前記設備機器の状態に関する情報を取得するとともに、前記取得した設備機器の状態に関する情報を、前記画面構成ファイルにより示される画面の構成に従って配置された１つの画面に表示させるための監視プログラムと、を含むＷｅｂコンテンツを提供することとを含む設備管理方法。
【請求項１２】
コンピュータを、
設備管理装置のアドレス情報を保持するアドレス保持部、
１つの画面の構成を示す画面構成ファイルと、前記アドレス保持部に保持されるアドレス情報に基づいて前記設備機器の状態に関する情報を取得するとともに、前記取得した設備機器の状態に関する情報を、前記画面構成ファイルにより示される画面の構成に従って配置された１つの画面に表示させるための監視プログラムと、を含むＷｅｂコンテンツを提供するＷｅｂサーバ部、として機能させるためのプログラム。
【手続補正１０】
【補正対象書類名】図面
【補正対象項目名】図３
【補正方法】変更
【補正の内容】
【図３】
2014002184.tif 000014
【手続補正書】
【提出日】平成27年7月2日(2015.7.2)
【手続補正１】
【補正対象書類名】明細書
【補正対象項目名】００１０
【補正方法】変更
【補正の内容】
【００１０】
上記目的を達成するために、この発明の設備管理システムは、
複数の設備管理装置の各々によって複数の設備機器を管理する設備管理システムであって、
前記複数の設備管理装置の各々によって管理される設備機器の状態を取得して表示するための監視プログラムと、監視画面の構成を示す画面構成ファイルとを含むＷｅｂコンテンツを提供するＷｅｂサーバ部と、
前記複数の設備管理装置の各々のアドレス情報を保持するアドレス保持部と、
前記Ｗｅｂサーバ部が提供するＷｅｂコンテンツと前記アドレス保持部が保持するアドレス情報とを取得し、前記取得したＷｅｂコンテンツに含まれる監視プログラムを実行することによって、前記取得したアドレス情報に基づいて前記複数の設備機器の状態に関する情報を前記複数の設備管理装置の各々から取得するとともに、前記取得した複数の設備機器の状態に関する情報を、前記取得したＷｅｂコンテンツに含まれる画面構成ファイルによって示される監視画面の構成に従って配置した１つの前記監視画面に表示させるＷｅｂブラウザ部とを備える。
【手続補正２】
【補正対象書類名】特許請求の範囲
【補正対象項目名】全文
【補正方法】変更
【補正の内容】
【特許請求の範囲】
【請求項１】
複数の設備管理装置の各々によって複数の設備機器を管理する設備管理システムであって、
前記複数の設備管理装置の各々によって管理される設備機器の状態を取得して表示するための監視プログラムと、監視画面の構成を示す画面構成ファイルとを含むＷｅｂコンテンツを提供するＷｅｂサーバ部と、
前記複数の設備管理装置の各々のアドレス情報を保持するアドレス保持部と、
前記Ｗｅｂサーバ部が提供するＷｅｂコンテンツと前記アドレス保持部が保持するアドレス情報とを取得し、前記取得したＷｅｂコンテンツに含まれる監視プログラムを実行することによって、前記取得したアドレス情報に基づいて前記複数の設備機器の状態に関する情報を前記複数の設備管理装置の各々から取得するとともに、前記取得した複数の設備機器の状態に関する情報を、前記取得したＷｅｂコンテンツに含まれる画面構成ファイルによって示される監視画面の構成に従って配置した１つの前記監視画面に表示させるＷｅｂブラウザ部とを備える設備管理システム。
【請求項２】
前記設備管理システムは、前記複数の設備管理装置と、前記複数の設備管理装置の各々と通信する監視端末とを備え、
前記複数の設備管理装置の少なくとも１つは、前記Ｗｅｂサーバ部と、前記アドレス保持部とを備え、
前記監視端末は、前記Ｗｅｂブラウザ部を備える
請求項１に記載の設備管理システム。
【請求項３】
前記複数の設備管理装置の各々と前記監視端末とは、常時接続しており、
前記複数の設備管理装置の各々は、前記設備管理装置自身が管理する設備機器の状態が変化した場合に、前記監視端末へ、前記設備機器の状態の変化に関する情報を通報する設備機器データ通信部をさらに備える
請求項２に記載の設備管理システム。
【請求項４】
前記複数の設備管理装置の各々は、前記Ｗｅｂサーバ部と、前記アドレス保持部とを備え、
前記Ｗｅｂブラウザ部は、前記複数の設備管理装置のうちのいずれか１つである代表の設備管理装置から、前記Ｗｅｂサーバ部が提供するＷｅｂコンテンツと前記アドレス保持部が保持するアドレス情報とを取得する
請求項２又は３に記載の設備管理システム。
【請求項５】
前記複数の設備管理装置の各々は、前記Ｗｅｂサーバ部と、前記アドレス保持部とを備え、
前記Ｗｅｂブラウザ部は、ユーザごとに予め定められた前記複数の設備管理装置のうち、前記監視端末のユーザに対応する設備管理装置から、前記Ｗｅｂサーバ部が提供するＷｅｂコンテンツと前記アドレス保持部が保持するアドレス情報とを取得する
請求項２又は３に記載の設備管理システム。
【請求項６】
前記複数の設備管理装置の各々は、前記設備管理装置自身が管理する設備機器の運転状態に関する情報を保持する運転状態データ保持部をさらに備え、
前記Ｗｅｂブラウザ部は、前記取得したアドレス情報に基づいて、前記運転状態データ保持部に保持される前記設備機器の運転状態に関する情報を前記複数の設備管理装置の各々から取得する
請求項１から５のいずれか１項に記載の設備管理システム。
【請求項７】
前記複数の設備機器が設置される領域の平面図の画像を示す平面図データを保持する平面図データ保持部と、
前記平面図上の前記複数の設備機器の表示位置を示す表示位置データを保持する表示位置データ保持部と、をさらに備え、
前記Ｗｅｂブラウザ部は、前記平面図データ保持部が保持する前記平面図データと前記表示位置データ保持部が保持する前記表示位置データとを取得し、前記平面図データが示す平面図に前記表示位置データが示す位置に前記複数の設備機器の各々に対応するアイコンが配置された前記１つの画面を表示させる
請求項１から６のいずれか１項に記載の設備管理システム。
【請求項８】
前記アイコンは、対応する設備機器の運転状態を示す
請求項７に記載の設備管理システム。
【請求項９】
前記複数の設備管理装置の各々は、前記設備管理装置自身が内部に保持するデータが変化した場合に、変化したデータを他の設備管理装置に送信するデータ更新部をさらに備える
請求項１から８のいずれか１項に記載の設備管理システム。
【請求項１０】
設備機器を管理する設備管理装置であって、
設備管理装置のアドレス情報を保持するアドレス保持部と、
監視画面の構成を示す画面構成ファイルと、前記アドレス保持部に保持されるアドレス情報に基づいて前記設備機器の状態に関する情報を取得するとともに、前記取得した設備機器の状態に関する情報を、前記画面構成ファイルにより示される監視画面の構成に従って配置した１つの前記監視画面に表示させるための監視プログラムと、を含むＷｅｂコンテンツを提供するＷｅｂサーバ部とを備える設備管理装置。
【請求項１１】
設備機器を管理するための設備管理方法であって、
アドレス保持部が、設備管理装置のアドレス情報を保持することと、
Ｗｅｂサーバ部が、監視画面の構成を示す画面構成ファイルと、前記アドレス保持部に保持されるアドレス情報に基づいて前記設備機器の状態に関する情報を取得するとともに、前記取得した設備機器の状態に関する情報を、前記画面構成ファイルにより示される監視画面の構成に従って配置した１つの前記監視画面に表示させるための監視プログラムと、を含むＷｅｂコンテンツを提供することとを含む設備管理方法。
【請求項１２】
コンピュータを、
設備管理装置のアドレス情報を保持するアドレス保持部、
監視画面の構成を示す画面構成ファイルと、前記アドレス保持部に保持されるアドレス情報に基づいて前記設備機器の状態に関する情報を取得するとともに、前記取得した設備機器の状態に関する情報を、前記画面構成ファイルにより示される監視画面の構成に従って配置した１つの前記監視画面に表示させるための監視プログラムと、を含むＷｅｂコンテンツを提供するＷｅｂサーバ部、として機能させるためのプログラム。
【手続補正書】
【提出日】平成27年11月4日(2015.11.4)
【手続補正１】
【補正対象書類名】明細書
【補正対象項目名】００１０
【補正方法】変更
【補正の内容】
【００１０】
上記目的を達成するために、この発明の設備管理システムは、
複数の設備管理装置の各々によって複数の設備機器を管理する設備管理システムであって、
前記複数の設備管理装置の各々によって管理される設備機器の状態を取得して表示するための監視プログラムと、監視画面の構成を示す画面構成ファイルとを含むＷｅｂコンテンツを提供するＷｅｂサーバ部と、
前記複数の設備管理装置の各々のアドレス情報を保持するアドレス保持部と、
前記Ｗｅｂサーバ部が提供するＷｅｂコンテンツと前記アドレス保持部が保持するアドレス情報とを取得し、前記取得したＷｅｂコンテンツに含まれる監視プログラムを実行することによって、前記取得したアドレス情報に基づいて前記複数の設備機器の状態に関する情報を、前記Ｗｅｂコンテンツを取得した設備管理装置と異なる設備管理装置を含む前記複数の設備管理装置の各々から取得するとともに、前記取得した複数の設備機器の状態に関する情報を、前記取得したＷｅｂコンテンツに含まれる画面構成ファイルによって示される監視画面の構成に従って配置した前記監視画面の１つの領域内に混在して表示させるＷｅｂブラウザ部とを備える。
【手続補正２】
【補正対象書類名】特許請求の範囲
【補正対象項目名】全文
【補正方法】変更
【補正の内容】
【特許請求の範囲】
【請求項１】
複数の設備管理装置の各々によって複数の設備機器を管理する設備管理システムであって、
前記複数の設備管理装置の各々によって管理される設備機器の状態を取得して表示するための監視プログラムと、監視画面の構成を示す画面構成ファイルとを含むＷｅｂコンテンツを提供するＷｅｂサーバ部と、
前記複数の設備管理装置の各々のアドレス情報を保持するアドレス保持部と、
前記Ｗｅｂサーバ部が提供するＷｅｂコンテンツと前記アドレス保持部が保持するアドレス情報とを取得し、前記取得したＷｅｂコンテンツに含まれる監視プログラムを実行することによって、前記取得したアドレス情報に基づいて前記複数の設備機器の状態に関する情報を、前記Ｗｅｂコンテンツを取得した設備管理装置と異なる設備管理装置を含む前記複数の設備管理装置の各々から取得するとともに、前記取得した複数の設備機器の状態に関する情報を、前記取得したＷｅｂコンテンツに含まれる画面構成ファイルによって示される監視画面の構成に従って配置した前記監視画面の１つの領域内に混在して表示させるＷｅｂブラウザ部とを備える設備管理システム。
【請求項２】
前記設備管理システムは、前記複数の設備管理装置と、前記複数の設備管理装置の各々と通信する監視端末とを備え、
前記複数の設備管理装置の少なくとも１つは、前記Ｗｅｂサーバ部と、前記アドレス保持部とを備え、
前記監視端末は、前記Ｗｅｂブラウザ部を備える
請求項１に記載の設備管理システム。
【請求項３】
前記複数の設備管理装置の各々と前記監視端末とは、常時接続しており、
前記複数の設備管理装置の各々は、前記設備管理装置自身が管理する設備機器の状態が変化した場合に、前記監視端末へ、前記設備機器の状態の変化に関する情報を通報する設備機器データ通信部をさらに備える
請求項２に記載の設備管理システム。
【請求項４】
前記複数の設備管理装置の各々は、前記Ｗｅｂサーバ部と、前記アドレス保持部とを備え、
前記Ｗｅｂブラウザ部は、前記複数の設備管理装置のうちのいずれか１つである代表の設備管理装置から、前記Ｗｅｂサーバ部が提供するＷｅｂコンテンツと前記アドレス保持部が保持するアドレス情報とを取得する
請求項２又は３に記載の設備管理システム。
【請求項５】
前記複数の設備管理装置の各々は、前記Ｗｅｂサーバ部と、前記アドレス保持部とを備え、
前記Ｗｅｂブラウザ部は、ユーザごとに予め定められた前記複数の設備管理装置のうち、前記監視端末のユーザに対応する設備管理装置から、前記Ｗｅｂサーバ部が提供するＷｅｂコンテンツと前記アドレス保持部が保持するアドレス情報とを取得する
請求項２又は３に記載の設備管理システム。
【請求項６】
前記複数の設備管理装置の各々は、前記設備管理装置自身が管理する設備機器の運転状態に関する情報を保持する運転状態データ保持部をさらに備え、
前記Ｗｅｂブラウザ部は、前記取得したアドレス情報に基づいて、前記運転状態データ保持部に保持される前記設備機器の運転状態に関する情報を前記複数の設備管理装置の各々から取得する
請求項１から５のいずれか１項に記載の設備管理システム。
【請求項７】
前記複数の設備機器が設置される領域の平面図の画像を示す平面図データを保持する平面図データ保持部と、
前記平面図上の前記複数の設備機器の表示位置を示す表示位置データを保持する表示位置データ保持部と、をさらに備え、
前記Ｗｅｂブラウザ部は、前記平面図データ保持部が保持する前記平面図データと前記表示位置データ保持部が保持する前記表示位置データとを取得し、前記平面図データが示す平面図に前記表示位置データが示す位置に前記複数の設備機器の各々に対応するアイコンが配置された前記１つの画面を表示させる
請求項１から６のいずれか１項に記載の設備管理システム。
【請求項８】
前記アイコンは、対応する設備機器の運転状態を示す
請求項７に記載の設備管理システム。
【請求項９】
前記複数の設備管理装置の各々は、前記設備管理装置自身が内部に保持するデータが変化した場合に、変化したデータを他の設備管理装置に送信するデータ更新部をさらに備える
請求項１から８のいずれか１項に記載の設備管理システム。
【請求項１０】
設備機器を管理する設備管理装置であって、
設備管理装置のアドレス情報を保持するアドレス保持部と、
監視画面の構成を示す画面構成ファイルと、前記アドレス保持部に保持されるアドレス情報に基づいて前記設備機器の状態に関する情報を取得するとともに、前記取得した設備機器の状態に関する情報を、前記画面構成ファイルにより示される監視画面の構成に従って配置した前記監視画面の１つの領域内に混在して表示させるための監視プログラムと、を含むＷｅｂコンテンツを提供するＷｅｂサーバ部とを備える設備管理装置。
【請求項１１】
設備機器を管理するための設備管理方法であって、
アドレス保持部が、設備管理装置のアドレス情報を保持することと、
Ｗｅｂサーバ部が、監視画面の構成を示す画面構成ファイルと、前記アドレス保持部に保持されるアドレス情報に基づいて前記設備機器の状態に関する情報を取得するとともに、前記取得した設備機器の状態に関する情報を、前記画面構成ファイルにより示される監視画面の構成に従って配置した前記監視画面の１つの領域内に混在して表示させるための監視プログラムと、を含むＷｅｂコンテンツを提供することとを含む設備管理方法。
【請求項１２】
コンピュータを、
設備管理装置のアドレス情報を保持するアドレス保持部、
監視画面の構成を示す画面構成ファイルと、前記アドレス保持部に保持されるアドレス情報に基づいて前記設備機器の状態に関する情報を取得するとともに、前記取得した設備機器の状態に関する情報を、前記画面構成ファイルにより示される監視画面の構成に従って配置した前記監視画面の１つの領域内に混在して表示させるための監視プログラムと、を含むＷｅｂコンテンツを提供するＷｅｂサーバ部、として機能させるためのプログラム。
【国際調査報告】
2014002184.tif 000015
2014002184.tif 000016
2014002184.tif 000017
2014002184.tif 000018